(57)【要約】【課題】嵩上台を用いたとしても、洗濯機のより容易に水平的な移動を可能とする洗濯機移動補助具及び洗濯機移動方法を提供する。【解決手段】  本発明の洗濯機移動補助具は、嵩上台に載せた洗濯機を移動させるための洗濯機移動補助具であって、上面が平坦な台座部材と、それぞれが金属板と滑らかなプラスチック板を張り合わせた一対の縦長スライド板、を備えたものである。また、本発明の洗濯機移動方法は、上面が平坦な台座部材を、嵩上台近傍に配置するステップ、洗濯機の前面を持ち上げて洗濯機と前記嵩上台の下に、それぞれが金属板と滑らかなプラスチック板を張り合わせた一対の縦長スライド板を挿入し、洗濯機を一対の縦長スライド板上に載せるステップ、一対のスライド板を台座上において滑らせるステップを備える。【選択図】図１
2019033842.tif 000002
【特許請求の範囲】
【請求項１】
嵩上台に載せた洗濯機を移動させるための洗濯機移動補助具であって、
上面が平坦な台座部材と、
それぞれが金属板と滑らかなプラスチック板を張り合わせた一対の縦長スライド板、を備えた洗濯機移動補助具。
【請求項２】
前記嵩上台における脚載部分の高さを調整する、少なくとも一方の面が平坦な調整板を備えた請求項１記載の洗濯機移動補助具。
【請求項３】
前記台座部材には、穴が形成されており、
前記一対の縦長スライド板の端辺側にも穴が形成されており、
前記台座部材及び前記一対の縦長スライド板は、前記台座部材の穴及び前記一対の縦長スライド板の穴に留具を挿入することにより固定可能となっている請求項１記載の洗濯機移動補助具。
【請求項４】
嵩上台に載せた洗濯機を移動させるための洗濯機移動補助具を用いて洗濯機を移動させる洗濯機移動方法であって、
上面が平坦な台座部材を、前記嵩上台近傍に配置するステップ、
前記洗濯機の前面を持ち上げて前記洗濯機と前記嵩上台の下に、それぞれが金属板と滑らかなプラスチック板を張り合わせた一対の縦長スライド板を挿入し、前記洗濯機を前記一対の縦長スライド板上に載せるステップ、
前記一対のスライド板を前記台座上において滑らせるステップを備える、洗濯機移動方法。
【請求項５】
前記洗濯機の前面を持ち上げて前記洗濯機と前記嵩上台の下に、金属板と滑らかなプラスチック板を張り合わせた一対の縦長スライド板を挿入し、前記洗濯機を前記一対の縦長スライド板上に載せるステップの前に、
前記嵩上台の脚載部分の高さを調整する少なくとも一方の面が平坦な調整板を配置し、前記嵩上台の脚載部分の高さを調整するステップ、を備える請求項４記載の洗濯機移動方法。
【請求項６】
前記台座部材には、穴が形成されており、
前記一対の縦長スライド板の端辺側にも穴が形成されており、
前記台座部材の穴及び前記一対の縦長スライド板の穴に留具を挿入することにより前記台座部材及び前記一対の縦長スライド板を固定し、洗濯機を移動前の位置に戻すステップを備える請求項４記載の洗濯機移動方法。
【発明の詳細な説明】
【技術分野】
【０００１】
本発明は、洗濯機移動補助具及び洗濯機移動方法に関する。
【背景技術】
【０００２】
マンション等の住宅における排水管内には、生活排水等に含まれる成分が堆積し、また、水や空気等によって配管内に錆が発生するため、定期的に清掃を行う必要がある。そして、屋内に設置される洗濯機から排出される排水を、屋外に排出するための排水管も同様であり、定期的な清掃が必要である。
【０００３】
洗濯機に接続される排水管を清掃する場合、一般には、高圧の水を供給することのできる水源にホースを接続し、このホースを排水管に接続される排水口に当て、高圧の水を供給することによって清掃する。
【０００４】
しかしながら、近年の住宅事情を背景に、洗濯機を置くスペースは限られてきており、非常に隙間が少なく設置されている場合が多い。このような場合、排水口と洗濯機との間は非常に狭く、上記のホースを挿入設置するためのスペースが確保できないといった課題が生ずる。
【０００５】
このため、例えば下記特許文献１で開示されるように、嵩上台を用いて洗濯機と排水口との間の距離を確保しようとする技術が開示されている。
【先行技術文献】
【特許文献】
【０００６】
【特許文献１】特開２０１３−２４０５４５号公報
【発明の概要】
【発明が解決しようとする課題】
【０００７】
しかしながら、上記特許文献１の技術によると、嵩上台を設けるため、洗濯機と排水口とのスペースを確保でき洗浄しやすくなるものの、それでも洗濯機自体を移動させなければならないといった場合がある。
【０００８】
ところが、この様な嵩上台は一般に脚載部分とそれ以外の部分においては高低差があり、そのまま水平移動することは難しい。
【０００９】
そこで、本発明は、上記課題に鑑み、嵩上台を用いたとしても洗濯機のより容易に水平的な移動を可能とする洗濯機移動補助具及び洗濯機移動方法を提供することを目的とする。
【課題を解決するための手段】
【００１０】
上記課題を解決する本発明の一観点に係る洗濯機移動補助具は、嵩上台に載せた洗濯機を移動させるための洗濯機移動補助具であって、上面が平坦な台座部材と、それぞれ金属板と滑らかなプラスチック板と、を張り合わせた一対の縦長スライド板と、を備えたものである。
【００１１】
また、本発明の他の一観点にかかる嵩上台に載せた洗濯機を移動させるための洗濯機移動補助具を用いて洗濯機を移動させる洗濯機移動方法は、上面が平坦な台座部材を、嵩上台近傍に配置するステップ、洗濯機の前面を持ち上げて洗濯機と嵩上台の下に、金属板と滑らかなプラスチック板を張り合わせた一対の縦長スライド板を挿入し、洗濯機を一対の縦長スライド板上に載せるステップ、一対のスライド板を前記台座上において滑らせるステップを備えるものである。
【発明の効果】
【００１２】
以上、本発明により、嵩上台を用いたとしても洗濯機のより容易に水平的な移動を可能とする洗濯機移動補助具及び洗濯機移動方法を提供することができる。
【図面の簡単な説明】
【００１３】
【図１】実施形態に係る洗濯機移動補助具の概略を示す図である。
【図２】実施形態において嵩上台に乗せられた洗濯機の一例を示す図である。
【図３】実施形態に係る洗濯移動補助具の台座部材を嵩上台近傍に配置した場合のイメージ図である。
【図４】実施形態に係る洗濯移動補助具の台座部材を嵩上台近傍に配置した場合のイメージ図である。
【図５】実施形態に係る洗濯機移動補助具の調整板を配置した場合のイメージ図である。
【図６】実施形態に係る洗濯機移動方法のイメージを示す図である。
【図７】実施形態に係る洗濯機移動方法のイメージを示す図である。
【発明を実施するための最良の形態】
【００１４】
以下、本発明の実施形態について図面を用いて詳細に説明する。ただし、本発明は多くの異なる形態による実施が可能であり、以下に示す実施形態の具体的な例示にのみ限定されるわけではない。
【００１５】
（洗濯機移動補助具）
図１は、本実施形態に係る洗濯機移動補助具（以下「本補助具」という。）１の概略を示す図である。本図で示すように、本補助具１は、嵩上台に載せた洗濯機を移動させるための洗濯機移動補助具であって、上面が平坦な台座部材２と、それぞれ金属板３１と滑らかなプラスチック板３２と、を張り合わせた一対の縦長スライド板３と、を備えている。また、本補助具は、嵩上台の脚載部分の高さを調整するための調整板４も備えている。
【００１６】
本補助具１は、上記の通り、嵩上台に乗せた洗濯機を移動させるために用いられるものである。移動対象となる洗濯機は、脚部材によって嵩上台に乗せることができるものである限りにおいて限定されるわけではなく、広く市販されているものを用いることができる。
【００１７】
また移動対象となる洗濯機Ｓが載る嵩上台Ｋは、洗濯機Ｓの使用者が使用しやすいように高さを調整するための部材であり、洗濯機の排水管から水が漏れ出た場合でも水を受けて排水口に水を導くための底板部と、洗濯機の脚を載せる脚載部材を有して構成されており、この脚載部材に洗濯機Ｓの脚が乗せられた状態となっている。図２に、嵩上台Ｋに洗濯機Ｓが載せられた場合の一例を示しておく。
【００１８】
本補助具１の台座部材２は、洗濯機Ｓを移動する際、嵩上台Ｋと床の段差を解消するために用いられるものであるとともに、嵩上台Ｋから洗濯機Ｓの移動先となる部材である。また、本補助具１の台座部材２は、上記の通り、上面２１が平坦となっている。本補助具１の台座部材２はこのようにすることで、スライド板３を滑らかにスライドさせることが可能となる。図３に、台座部材２を嵩上台Ｋ近傍に配置した場合の概略を示しておく。
【００１９】
台座部材２の材質としては、上記の機能を有する限りにおいて限定されるわけではないが、例えば金属やプラスチック等を例示することができる。
【００２０】
また、台座部材２の下部には台座部材２の高さを調整するための高さ調整部材２２が設けられていることが好ましい。高さ調整部材２２を設けることで、様々な嵩上台の高さに合わせることが可能となるといった利点がある。ここで高さ調節部材としては限定されるわけではないが、接地面に安定的に設置させるための接地部材と、この接地部材に固定される螺子部材とを備え、この螺子部材が台座部材２に形成される螺子穴に挿入され、回すことで高さを調節できる構成が好ましい。また、嵩上台の種類によっては、嵩上台の足載部分の周囲にさらに縁部が形成されていることがある。この縁部を設けることで水が嵩上台以外の部分に漏れるおそれや洗濯機の脚がずれて落ちてしまうことを防止できるといった利点があるが、縁が高くなっている分、洗濯機を移動させようとした場合に引っかかってしまう虞がある。そのため、縁がある場合は、この縁の高さに合わせておくことが好ましい。この場合のイメージを図４に示しておく。
【００２１】
また、台座部材２の上面２１には、一対の縦長スライド板３を固定するために用いられる穴２３が形成されている。この効果については改めて詳述するが、留具を挿入し、台座部材２と一対の縦長スライド板３を固定することができる。
【００２２】
また本補助具１では、嵩上台Ｋにおける脚載部分の高さを調整するための少なくとも一方の面が平坦な調整板４を備えている。この調整板４を設置した場合のイメージ図を図５に示しておく。
【００２３】
調整板４は、上記の通り、嵩上台における脚載部分の高さを調整するためのものである。具体的に説明すると、一般に嵩上台は、洗濯機Ｓの四本の脚それぞれを載せる部分だけ高さが高くなっており、その間は窪んでいる場合が多い。このような場合、洗濯機Ｓを水平方向に移動しようとするとこの段差に洗濯機Ｓが落ち込んでしまい、動かなくなってしまうといった問題が生じる。そのため、本補助具１では、嵩上台Ｋの脚載部分の高さを均一にするよう、少なくとも一方の面が平坦な調整板４を備えている。また調整板４を設けることで、嵩上台に縁が形成されている場合、足載部分と縁との間の高さを調整することもできるようになる。
【００２４】
具体的に調整板４は、上面が平坦であって、複数の脚載部分の上に橋渡しとなるよう配置される板状部材４１と、この下の面に配置される突起部材４２と、を有する。
【００２５】
調整板４の板状部材４１は、上記の通り、複数の脚載部分の上に橋渡しとなるよう配置されるものであるとともに、一対の縦長スライド板を滑らせることができるものである。板状部材４は、この機能を実現できる限りにおいて材質は限定されず、上記台座部材２と同様、金属やプラスチック等を例示することができる。
【００２６】
また本補助具１の調整板４は、洗濯機Ｓの移動方向が前後方向と想定しているため、前後の脚載部分の高さをそれぞれ調整するよう一対の調整板となっていることが好ましい。
【００２７】
さらに、本補助具１の調整板４は、裏面において突起部材４２を有している。突起部材４２を配置させることで、この突起部材４２が嵩上台Ｋの脚載部分の側部に引っかかることでスライド板をスライドさせた場合に調整板４がずれてしまうことを防止することができる。この突起部材４２の位置は、限定されるわけではないが、中央よりに、望ましくは二つ以上設けておくことが好ましい。このようにすることで、くぼみ部分に確実に配置することが可能となり、嵩上台Ｋの脚載部分に当たることでこの調整板４の位置ずれを防止することができる。具体的には、この突起部材４２は、いずれも端部から１０ｃｍ以上離れていることが好ましく、より好ましくは１５ｃｍ以上である。この範囲とすることで、足載部分にこの突起部材４２があたってしまうのを防ぐことができる。
【００２８】
また本補助具１では、上記の通り、一対の縦長スライド板３を有している。縦長スライド板３は、洗濯機Ｓの脚の下に挿入され洗濯機の脚を載せるとともに洗濯機Ｓをスライドさせるためのものである。
【００２９】
また縦長スライド板３は、上記の通り、金属板３１と滑らかなプラスチック板３２と、を張り合わせたものとなっている。
【００３０】
また縦長スライド板３において、金属板３１は、洗濯機Ｓを載せても安定した形状を保つことができるよう用いられるものであり、プラスチック板３１は、上記の調整板４及び台座部材２上を滑らかにスライドできるよう採用される。プラスチック板に適用されるプラスチックとしては、上記の機能を有する限りにおいて限定されるわけではないが、ある程度の硬さと滑らかさを両立することができるものであることが好ましく、例えばパーフルオロポリエーテル等のフッ素樹脂、ＡＢＳ樹脂、ポリアセタール樹脂等を例示することができる。
【００３１】
また本補助具１では、縦長スライド板３は二つあり一対となっている。本補助具１では洗濯機Ｓを前後方向に移動させることを想定しているため、洗濯機Ｓの前後の脚を一体に移動させることでスムーズな移動を可能とする。
【００３２】
さらに本補助具１では、一対の縦長スライド板３は接続部材３３によって接続固定されていることが好ましい。このようにすることで、縦長スライド３の位置を洗濯機Ｓの脚に対応した状態で固定することができる。接続部材３３は、この機能を有する限りにおいて限定されないが、縦長スライド板３の板間に配置されていてもよく、また、一対の縦長スライド板３の辺に共通に接続される長板状の部材であってもよい。長板状の部材とすると、下側に下記で示すように穴を形成しやすくなるといった利点がある。
【００３３】
また、本補助具１では、一対の縦長スライド板のそれぞれの辺側に穴が形成されている。より具体的には、接続部材３３に穴が形成された金属片３４が複数配置されていることとするのが好ましい。これは、上記した台座部材の穴と対応して設けられるものであり、縦長スライド板における穴と台座部材における穴双方を貫通する留具を挿入することで、台座部２材と縦長スライド板の位置関係を固定し不動のものとすることができるようになる。この効果については後に詳述する。
【００３４】
（洗濯機移動方法）
ここで、上記洗濯機移動補助具１を用いた洗濯機移動方法について説明する。本実施形態に係る洗濯機移動方法（以下「本方法」という。）は、嵩上台に載せた洗濯機を移動させるための洗濯機移動補助具を用いて洗濯機を移動させる洗濯機移動方法であって、（Ｓ１）上面が平坦な台座部材を、嵩上台近傍に配置するステップ、（Ｓ２）嵩上台の脚載部分の高さを調整する少なくとも一方の面が平坦な調整板を配置し、前記嵩上台の脚載部分の高さを調整するステップ、（Ｓ３）洗濯機の前面を持ち上げて洗濯機と嵩上台の下に、それぞれ金属板と滑らかなプラスチック板を張り合わせた一対の縦長スライド板を挿入し、洗濯機を一対の縦長スライド板上に載せるステップ、（Ｓ４）一対のスライド板を台座上において滑らせるステップを備える。
【００３５】
まず本方法では、（Ｓ１）上面が平坦な台座部材を、嵩上台近傍に配置するステップを備える。これにより、嵩上台と床との高さを揃え、洗濯機が段差に落ち込んでしまうこと、引っかかってしまうこと等を防止できる。なお、嵩上台の周囲に脚載部分よりも高い縁が存在する場合は、この台座部材の上面はこの高さと同様の高さとなっていることが好ましい。この場合の設置のイメージは上記図４に示したとおりである。
【００３６】
また本方法では、嵩上台の脚載部分の高さを調整する少なくとも一方の面が平坦な調整板４を配置し、嵩上台の脚載部分の高さを調整するステップを備える。これにより、嵩上台の脚載部分同士の高さを調整し、洗濯機が段差に落ち込んでしまうこと、引っかかってしまうことを防止することができる。特に、嵩上台においては、この周囲に脚載部分よりも高い縁が存在する場合が多く、この板を配置することで、高さを縁の高さに合わせることも可能となる。この場合のイメージ図は上記図５で示したとおりである。
【００３７】
また本方法では、（Ｓ３）洗濯機の前面を持ち上げて洗濯機と嵩上台の下に、それぞれ金属板と滑らかなプラスチック板を張り合わせた一対の縦長スライド板を挿入し、洗濯機を一対の縦長スライド板上に載せるステップを有する。
【００３８】
そして、本方法では、（Ｓ４）一対のスライド板を台座上において滑らせるステップを備える。これにより、上記台座部材上及び上記調整板上を滑らかに滑らせつつ洗濯機を移動させることができる。この場合のイメージ図を図６に示しておく。
【００３９】
そして、洗濯機を移動させた後、排水口等から洗浄具を挿入し、排水管洗浄作業等の所望の処理を行い、所定の作業の後、洗濯機を再び元の位置に戻す作業に入る。
【００４０】
しかしながらこの場合において、洗濯機はスライド板によって台座上において滑らかに滑らせることができる一方、洗濯機のみをスライド板から降ろすことは摩擦の大きさの観点から容易ではない。そこで、本補助具では、台座部材には一対の穴が形成されており、一対の縦長スライド板のそれぞれの端辺側にも穴が形成されている。そして、台座部材の穴及び一対の縦長スライド板の穴に留具を挿入することにより台座部材及び一対の縦長スライド板を固定し、洗濯機を移動前の位置に戻すステップを備える。これにより、台座部材に対しスライド板を固定することが可能となり、洗濯機を移動前の位置に戻すことが容易になる。この場合のイメージ図を図７に示しておく。この場合において、台座部材の穴の間隔は、上記縦長スライド板の穴の位置関係と合わせておくことが必要であるが、その穴の位置としては例えば辺から１５ｃｍ以上、より好ましくは２０ｃｍ以上離れた位置であることが好ましい。この範囲とすることで、ぎりぎりまで洗濯機をスライドさせることができる一方、洗濯機の脚を縦長スライド板から降ろす際には縦長スライド板が動いてしまうことを防止できる。
【００４１】
そして、洗濯機をもとに戻した後、留具を外し、スライド板を取り除き、更に、調整板を外すことで、洗濯機を上記図２の例で示すような元の状態に戻す。
【００４２】
以上、本方法によって、嵩上台を用いたとしても洗濯機のより容易に水平的な移動を可能とする洗濯機移動補助具及び洗濯機移動方法を提供することができる。なお、この方法は、洗濯機を移動させて戻すだけでなく、洗濯機を取り換える場合等にも用いることができることは言うまでもない。
【産業上の利用可能性】
【００４３】
本発明は、洗濯機移動補助具及び洗濯機移動方法として産業上利用可能性がある。
【図１】
2019033842.tif 000003
【図２】
2019033842.tif 000004
【図３】
2019033842.tif 000005
【図４】
2019033842.tif 000006
【図５】
2019033842.tif 000007
【図６】
2019033842.tif 000008
【図７】
2019033842.tif 000009